【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
電子錠にて開閉される扉又はその扉に隣接した位置に、非接触ＩＣチップに記録した許可情報を読み出す受信装置と前記許可情報を記憶する許可情報記憶装置を設け、
前記受信装置に、前記非接触ＩＣチップに記録した前記許可情報を読み取らせ、前記受信装置が読み出した前記許可情報と前記許可情報記憶装置に記憶した前記許可情報とを比較し、その比較結果に基づいて前記電子錠を駆動制御するようにしたことを特徴とする扉の管理方法。
【請求項２】
請求項１に記載の扉の管理方法において、
前記非接触ＩＣチップに記録した前記許可情報を書換え変更するとともに、前記許可情報記憶装置に記憶した前記許可情報を書換え変更する管理コンピュータを設けたことを特徴とする扉の管理方法。
【請求項３】
携帯端末に、許可情報を記録した非接触ＩＣチップを設け、
電子錠にて開閉される扉又はその扉に隣接した位置に、前記非接触ＩＣチップに記録した前記許可情報を読み出す受信装置と前記携帯端末の許可情報を記憶する許可情報記憶装置を設け、
前記受信装置に、前記非接触ＩＣチップに記録した前記許可情報を読み取らせ、前記受信装置が読み出した前記許可情報と前記許可情報記憶装置に記憶した前記許可情報とを比較し、その比較結果に基づいて前記電子錠を駆動制御するようにしたことを特徴とする扉の管理方法。
【請求項４】
請求項３に記載の扉の管理方法において、
前記携帯端末に設けた前記非接触ＩＣチップに記録した前記許可情報を書換え変更するとともに、前記許可情報記憶装置に記憶した前記許可情報を書換え変更する管理コンピュータを設けたことを特徴とする扉の管理方法。
【請求項５】
請求項４に記載の扉の管理方法において、
前記扉又はその扉に隣接した位置には、送受信機を備え、
前記管理コンピュータは、通信網を介して、前記非接触ＩＣチップに記録した前記許可
情報を書換え変更するとともに、前記許可情報記憶装置に記憶した前記許可情報を書換え変更することを特徴とする扉の管理方法。
【請求項６】
請求項４に記載の扉の管理方法において、
前記管理コンピュータは、通信網を介して、前記非接触ＩＣチップに記録した前記許可情報を書換え変更することを特徴とする扉の管理方法。
【請求項７】
請求項４に記載の扉の管理方法において、
前記扉又はその扉の隣接した位置には、送受信機を備え、
前記管理コンピュータは、通信網を介して、前記許可情報記憶装置に記憶した前記許可情報を書換え変更することを特徴とする扉の管理方法。
【請求項８】
携帯端末と、電子錠にて開閉される扉とからなる扉の管理システムにおいて、
前記携帯端末には、許可情報を記録する非接触ＩＣチップを備え、
前記扉、又は、扉に隣接した位置には、
前記非接触ＩＣチップに記録された前記許可情報を読み出すための受信装置と、
前記携帯端末の許可情報を記憶した許可情報記憶装置と、
前記受信装置が前記非接触ＩＣチップから読み取った前記許可情報と前記許可情報記憶装置に記憶した許可情報とを比較し、その比較結果に基づいて前記電子錠を駆動制御する制御回路と
を備えたこと特徴とする扉の管理システム。
【請求項９】
請求項８に記載の扉の管理システムにおいて、
前記扉、又は、扉に隣接した位置には、履歴情報記憶装置を備え、
前記制御回路は、前記比較結果に基づいて前記履歴情報記憶装置に扉履歴情報を記録することを特徴とする扉の管理システム。
【請求項１０】
請求項８又は９に記載の扉の管理システムにおいて、
前記扉、又は、扉に隣接した位置には、前記携帯端末に設けた前記非接触ＩＣチップに対して新たなデータを書き込む送信装置を備え、
前記制御回路は、前記比較結果に基づいて前記送信装置を介してその扉との間の履歴情報を端末履歴情報として前記非接触ＩＣチップに記録させることを特徴とする扉の管理システム。
【請求項１１】
請求項８乃至１０のいずれか１つに記載の扉の管理システムにおいて、
前記携帯端末に設けた前記非接触ＩＣチップに記録した前記許可情報を書換え変更するとともに、扉、又は、扉に隣接した位置に設けた前記許可情報記憶装置に記憶した前記許可情報を書換え変更する管理コンピュータを設けたことを特徴とする扉の管理システム。
【請求項１２】
請求項８乃至１０のいずれか１つに記載の扉の管理システムにおいて、
前記携帯端末に設けた前記非接触ＩＣチップに記録した前記許可情報を、書換え変更するする管理コンピュータを設けたことを特徴とする扉の管理システム。
【請求項１３】
請求項８乃至１０のいずれか１つに記載の扉の管理システムにおいて、
前記扉、又は、扉に隣接した位置に設けた前記許可情報記憶装置に記憶した前記許可情報を書換え変更する管理コンピュータを設けたことを特徴とする扉の管理システム。
【請求項１４】
請求項１１に記載の扉の管理システムにおいて、
前記管理コンピュータは、
通信網を介して前記携帯端末に書き換えのための許可情報を送信する第１の送信装置と
、
前記通信網を介して前記許可情報記憶装置に書き換えのための許可情報を送信する第２の送信装置を備え、
前記携帯端末は、
前記通信網を介して受信した前記書き換えのための許可情報を新たな許可情報として前記非接触ＩＣチップに記録する端末データ管理回路を備え、
前記扉、又は、扉に隣接した位置には、送受信機を備え、前記制御回路は前記通信網を介して前記送受信機が受信した前記書き換えのための許可情報を前記許可情報記憶装置に記憶することを特徴とする扉の管理システム。
【請求項１５】
請求項１１に記載の扉の管理システムにおいて、
前記管理コンピュータは、
通信網を介して前記携帯端末に書き換えのための許可情報を送信する第１の送信装置を備え、
前記携帯端末は、
前記通信網を介して受信した前記書き換えのための許可情報を新たな許可情報として前記非接触ＩＣチップに記録する端末データ管理回路を備えることを特徴とする扉の管理システム。
【請求項１６】
請求項１１に記載の扉の管理システムにおいて、
前記管理コンピュータは、
通信網を介して前記許可情報記憶装置に書き換えのための許可情報を送信する第２の送信装置を備え、
前記携帯端末は、
前記扉、又は、扉に隣接した位置には、送受信機を備え、前記制御回路は前記通信網を介して前記送受信機が受信した前記書き換えのための許可情報を前記許可情報記憶装置に記憶することを特徴とする扉の管理システム。
【請求項１７】
請求項１１又は１４に記載の扉の管理システムにおいて、
前記管理コンピュータは、
前記携帯端末に設けられた前記非接触ＩＣチップに記録された前記端末履歴情報を記憶する第１の情報記憶装置と、
前記扉に設けた前記各履歴情報記憶装置に記憶された扉履歴情報を記憶する第２の情報記憶装置と、
前記携帯端末の非接触ＩＣチップに記録された前記端末履歴情報を、前記第１の情報記憶装置に記憶するために通信網を介して受信するための第１の受信装置と、
前記扉の前記履歴情報記憶装置に記憶された扉履歴情報を、前記第２の情報記憶装置に記憶するために通信網を介して受信するための第２の受信装置と
を備えたことを特徴とする扉の管理システム。
【請求項１８】
請求項１１又は１４に記載の扉の管理システムにおいて、
前記管理コンピュータは、
前記携帯端末に設けられた前記非接触ＩＣチップに記録された前記端末履歴情報を記憶する第１の情報記憶装置と、
前記携帯端末の非接触ＩＣチップに記録された前記端末履歴情報を、前記第１の情報記憶装置に記憶するために通信網を介して受信するための第１の受信装置と、
を備えたことを特徴とする扉の管理システム。
【請求項１９】
請求項１１又は１４に記載の扉の管理システムにおいて、
前記管理コンピュータは、
前記扉に設けた前記各履歴情報記憶装置に記憶された扉履歴情報を記憶する第２の情報記憶装置と、
前記扉の前記履歴情報記憶装置に記憶された扉履歴情報を、前記第２の情報記憶装置に記憶するために通信網を介して受信するための第２の受信装置と
を備えたことを特徴とする扉の管理システム。
【請求項２０】
電子錠を備えた自動販売機において、
非接触ＩＣチップに記録された許可情報を読み出すための受信装置と、
前記許可情報を記憶した許可情報記憶装置と、
前記受信装置が前記非接触ＩＣチップから読み取った前記許可情報と前記許可情報記憶装置に記憶した許可情報とを比較し、その比較結果に基づいて前記電子錠を駆動制御する制御回路と
を備えたこと特徴とする自動販売機。
【請求項２１】
電子錠を備えた自動販売機において、
携帯端末に設けた非接触ＩＣチップに記録された許可情報を読み出すための受信装置と、
前記携帯端末の許可情報を記憶した許可情報記憶装置と、
前記受信装置が前記非接触ＩＣチップから読み取った前記許可情報と前記許可情報記憶装置に記憶した許可情報とを比較し、その比較結果に基づいて前記電子錠を駆動制御する制御回路と
を備えたこと特徴とする自動販売機。
【手続補正２】
【補正対象書類名】明細書
【補正対象項目名】０００７
【補正方法】変更
【補正の内容】
【０００７】
請求項１に記載の発明は、電子錠にて開閉される扉又はその扉に隣接した位置に、非接触ＩＣチップに記録した許可情報を読み出す受信装置と前記許可情報を記憶する許可情報記憶装置を設け、前記受信装置に、前記非接触ＩＣチップに記録した前記許可情報を読み取らせ、前記受信装置が読み出した前記許可情報と前記許可情報記憶装置に記憶した前記許可情報とを比較し、その比較結果に基づいて前記電子錠を駆動制御するようにしたことを特徴とする扉の管理方法をその要旨とする。
請求項２に記載の発明は、請求項１に記載の扉の管理方法において、前記非接触ＩＣチップに記録した前記許可情報を書換え変更するとともに、前記許可情報記憶装置に記憶した前記許可情報を書換え変更する管理コンピュータを設けた。
【手続補正３】
【補正対象書類名】明細書
【補正対象項目名】０００８
【補正方法】変更
【補正の内容】
【０００８】
請求項３に記載の発明は、携帯端末に、許可情報を記録した非接触ＩＣチップを設け、電子錠にて開閉される扉又はその扉に隣接した位置に、前記非接触ＩＣチップに記録した前記許可情報を読み出す受信装置と前記携帯端末の許可情報を記憶する許可情報記憶装置を設け、前記受信装置に、前記非接触ＩＣチップに記録した前記許可情報を読み取らせ、前記受信装置が読み出した前記許可情報と前記許可情報記憶装置に記憶した前記許可情報とを比較し、その比較結果に基づいて前記電子錠を駆動制御するようにしたことを特徴とする扉の管理方法をその要旨とする。
請求項４に記載の発明は、請求項３に記載の扉の管理方法において、前記携帯端末に設けた前記非接触ＩＣチップに記録した前記許可情報を書換え変更するとともに、前記許可情報記憶装置に記憶した前記許可情報を書換え変更する管理コンピュータを設けた。
【手続補正４】
【補正対象書類名】明細書
【補正対象項目名】０００９
【補正方法】変更
【補正の内容】
【０００９】
請求項５に記載の発明は、請求項４に記載の扉の管理方法において、前記扉又はその扉に隣接した位置には、送受信機を備え、前記管理コンピュータは、通信網を介して、前記非接触ＩＣチップに記録した前記許可情報を書換え変更するとともに、前記許可情報記憶装置に記憶した前記許可情報を書換え変更する。
請求項６に記載の発明は、請求項４に記載の扉の管理方法において、前記管理コンピュータは、通信網を介して、前記非接触ＩＣチップに記録した前記許可情報を書換え変更する。
【手続補正５】
【補正対象書類名】明細書
【補正対象項目名】００１０
【補正方法】変更
【補正の内容】
【００１０】
請求項７に記載の発明は、請求項４に記載の扉の管理方法において、前記扉又はその扉の隣接した位置には、送受信機を備え、前記管理コンピュータは、通信網を介して、前記許可情報記憶装置に記憶した前記許可情報を書換え変更する。
請求項８に記載の発明は、携帯端末と、電子錠にて開閉される扉とからなる扉の管理システムにおいて、前記携帯端末には、許可情報を記録する非接触ＩＣチップを備え、前記扉、又は、扉に隣接した位置には、前記非接触ＩＣチップに記録された前記許可情報を読み出すための受信装置と、前記携帯端末の許可情報を記憶した許可情報記憶装置と、
前記受信装置が前記非接触ＩＣチップから読み取った前記許可情報と前記許可情報記憶装置に記憶した許可情報とを比較し、その比較結果に基づいて前記電子錠を駆動制御する制御回路とを備えた。
【手続補正６】
【補正対象書類名】明細書
【補正対象項目名】００１１
【補正方法】変更
【補正の内容】
【００１１】
請求項９に記載の発明は、請求項８に記載の扉の管理システムにおいて、前記扉、又は、扉に隣接した位置には、履歴情報記憶装置を備え、前記制御回路は、前記比較結果に基づいて前記履歴情報記憶装置に扉履歴情報を記録する。
請求項１０に記載の発明は、請求項８又は９に記載の扉の管理システムにおいて、前記扉、又は、扉に隣接した位置には、前記携帯端末に設けた前記非接触ＩＣチップに対して新たなデータを書き込む送信装置を備え、前記制御回路は、前記比較結果に基づいて前記送信装置を介してその扉との間の履歴情報を端末履歴情報として前記非接触ＩＣチップに記録させる。
【手続補正７】
【補正対象書類名】明細書
【補正対象項目名】００１２
【補正方法】変更
【補正の内容】
【００１２】
請求項１１に記載の発明は、請求項８乃至１０のいずれか１つに記載の扉の管理システムにおいて、前記携帯端末に設けた前記非接触ＩＣチップに記録した前記許可情報を書換え変更するとともに、扉、又は、扉に隣接した位置に設けた前記許可情報記憶装置に記憶した前記許可情報を書換え変更する管理コンピュータを設けた。
請求項１２に記載の発明は、請求項８乃至１０のいずれか１つに記載の扉の管理システムにおいて、前記携帯端末に設けた前記非接触ＩＣチップに記録した前記許可情報を、書換え変更するする管理コンピュータを設けた。
【手続補正８】
【補正対象書類名】明細書
【補正対象項目名】００１３
【補正方法】変更
【補正の内容】
【００１３】
請求項１３に記載の発明は、請求項８乃至１０のいずれか１つに記載の扉の管理システムにおいて、前記扉、又は、扉に隣接した位置に設けた前記許可情報記憶装置に記憶した前記許可情報を書換え変更する管理コンピュータを設けた。
請求項１４に記載の発明は、請求項１１に記載の扉の管理システムにおいて、前記管理コンピュータは、通信網を介して前記携帯端末に書き換えのための許可情報を送信する第１の送信装置と、前記通信網を介して前記許可情報記憶装置に書き換えのための許可情報を送信する第２の送信装置を備え、前記携帯端末は、前記通信網を介して受信した前記書き換えのための許可情報を新たな許可情報として前記非接触ＩＣチップに記録する端末データ管理回路を備え、前記扉、又は、扉に隣接した位置には、送受信機を備え、前記制御回路は前記通信網を介して前記送受信機が受信した前記書き換えのための許可情報を前記許可情報記憶装置に記憶する。
【手続補正９】
【補正対象書類名】明細書
【補正対象項目名】００１４
【補正方法】変更
【補正の内容】
【００１４】
請求項１５に記載の発明は、請求項１１に記載の扉の管理システムにおいて、前記管理コンピュータは、通信網を介して前記携帯端末に書き換えのための許可情報を送信する第１の送信装置を備え、前記携帯端末は、前記通信網を介して受信した前記書き換えのための許可情報を新たな許可情報として前記非接触ＩＣチップに記録する端末データ管理回路を備える。
請求項１６に記載の発明は、請求項１１に記載の扉の管理システムにおいて、前記管理コンピュータは、通信網を介して前記許可情報記憶装置に書き換えのための許可情報を送信する第２の送信装置を備え、前記携帯端末は、前記扉、又は、扉に隣接した位置には、送受信機を備え、前記制御回路は前記通信網を介して前記送受信機が受信した前記書き換えのための許可情報を前記許可情報記憶装置に記憶する。
【手続補正１０】
【補正対象書類名】明細書
【補正対象項目名】００１５
【補正方法】変更
【補正の内容】
【００１５】
請求項１７に記載の発明は、請求項１１又は１４に記載の扉の管理システムにおいて、前記管理コンピュータは、前記携帯端末に設けられた前記非接触ＩＣチップに記録された
前記端末履歴情報を記憶する第１の情報記憶装置と、前記扉に設けた前記各履歴情報記憶装置に記憶された扉履歴情報を記憶する第２の情報記憶装置と、前記携帯端末の非接触ＩＣチップに記録された前記端末履歴情報を、前記第１の情報記憶装置に記憶するために通信網を介して受信するための第１の受信装置と、前記扉の前記履歴情報記憶装置に記憶された扉履歴情報を、前記第２の情報記憶装置に記憶するために通信網を介して受信するための第２の受信装置とを備えた。
請求項１８に記載の発明は、請求項１１又は１４に記載の扉の管理システムにおいて、前記管理コンピュータは、前記携帯端末に設けられた前記非接触ＩＣチップに記録された前記端末履歴情報を記憶する第１の情報記憶装置と、前記携帯端末の非接触ＩＣチップに記録された前記端末履歴情報を、前記第１の情報記憶装置に記憶するために通信網を介して受信するための第１の受信装置とを備えた。
【手続補正１１】
【補正対象書類名】明細書
【補正対象項目名】００１６
【補正方法】変更
【補正の内容】
【００１６】
請求項１９に記載の発明は、請求項１１又は１４に記載の扉の管理システムにおいて、前記管理コンピュータは、前記扉に設けた前記各履歴情報記憶装置に記憶された扉履歴情報を記憶する第２の情報記憶装置と、前記扉の前記履歴情報記憶装置に記憶された扉履歴情報を、前記第２の情報記憶装置に記憶するために通信網を介して受信するための第２の受信装置とを備えた。
請求項２０に記載の発明は、電子錠を備えた自動販売機において、非接触ＩＣチップに記録された許可情報を読み出すための受信装置と、前記許可情報を記憶した許可情報記憶装置と、前記受信装置が前記非接触ＩＣチップから読み取った前記許可情報と前記許可情報記憶装置に記憶した許可情報とを比較し、その比較結果に基づいて前記電子錠を駆動制御する制御回路とを備えた。
請求項２１に記載の発明は、電子錠を備えた自動販売機において、携帯端末に設けた非接触ＩＣチップに記録された許可情報を読み出すための受信装置と、前記携帯端末の許可情報を記憶した許可情報記憶装置と、前記受信装置が前記非接触ＩＣチップから読み取った前記許可情報と前記許可情報記憶装置に記憶した許可情報とを比較し、その比較結果に基づいて前記電子錠を駆動制御する制御回路とを備えた。
【手続補正１２】
【補正対象書類名】明細書
【補正対象項目名】００１７
【補正方法】変更
【補正の内容】
【００１７】
請求項１に記載の発明によれば、非接触ＩＣチップを近づけるだけで、受信機は非接触ＩＣチップに記録した許可情報を読み取る。その読み出した許可情報と、許可情報記憶装置に記憶した前記許可情報とを比較し比較結果に基づいて電子錠を制御する。従って、扉を巡回し同扉を直接管理する担当者（巡回者）は、非接触ＩＣチップを近づけるだけで電子錠を例えば解錠することができる。しかも、複数の扉の許可情報記憶装置に同じ非接触ＩＣチップの許可情報を記憶しておけば、巡回者は、一つの非接触ＩＣチップで、複数の扉を管理することができる。また、扉の許可情報記憶装置に複数の非接触ＩＣチップの許可情報を記憶しておけば、その記録した数の非接触ＩＣチップを使って扉を管理することができる。さらに、担当者の増加又は退職といった、担当者に変動があっても担当者に関係なく非接触ＩＣチップを管理すればよいので、扉の管理が容易でとなる。
請求項２に記載の発明によれば、非接触ＩＣチップに記録した許可情報や、許可情報記憶装置に記憶した許可情報は、管理コンピュータによって、適宜変更することができる。
従って、例えば、非接触ＩＣチップが不正に使用されるおそれがある場合に、事前に許可情報記憶装置に記憶した許可情報を変更すれだけで、扉は不正に解錠されることはない。また、新たに非接触ＩＣチップを追加する場合にも、簡単に行える。
【手続補正１３】
【補正対象書類名】明細書
【補正対象項目名】００１８
【補正方法】変更
【補正の内容】
【００１８】
請求項３に記載の発明によれば、携帯端末を近づけるだけで、受信機は携帯端末に設けた非接触ＩＣチップに記録した許可情報を読み取る。その読み出した許可情報と、許可情報記憶装置に記憶した前記許可情報とを比較し比較結果に基づいて電子錠を制御する。
従って、扉を巡回し同扉を直接管理する担当者（巡回者）は、非接触ＩＣチップを設けた携帯端末を所持し、その携帯端末を近づけるだけで電子錠を例えば解錠することができる。しかも、複数の扉の許可情報記憶装置に同じ携帯端末の許可情報を記憶しておけば、巡回者は、一つの携帯端末で、複数の扉を管理することができる。また、扉の許可情報記憶装置に複数の携帯端末の許可情報を記憶しておけば、その記録した数の携帯端末を使って扉を管理することができる。さらに、担当者の増加又は退職といった、担当者に変動があっても担当者に関係なく携帯端末を管理すればよいので、扉の管理が容易でとなる。
【手続補正１４】
【補正対象書類名】明細書
【補正対象項目名】００１９
【補正方法】変更
【補正の内容】
【００１９】
請求項４に記載の発明によれば、非接触ＩＣチップに記録した許可情報や、許可情報記憶装置に記憶した許可情報は、管理コンピュータによって、適宜変更することができる。従って、例えば、携帯端末が不正に使用されるおそれがある場合に、事前に許可情報記憶装置に記憶した許可情報を変更すれだけで、扉は不正に解錠されることはない。また、新たに携帯端末を追加する場合にも、簡単に行える。
請求項５に記載の発明によれば、非接触ＩＣチップに記録した許可情報や、許可情報記憶装置に記憶した許可情報は、通信網を介して管理コンピュータを一括して変更することができる。従って、直接、非接触ＩＣチップを手元において許可情報を変更したり、扉に直接出向いて許可情報を変更したりする作業がなくなる。しかも、短時間に変更することができる。
【手続補正１５】
【補正対象書類名】明細書
【補正対象項目名】００２０
【補正方法】変更
【補正の内容】
【００２０】
請求項６に記載の発明によれば、非接触ＩＣチップに記録した許可情報は、通信網を介して管理コンピュータにて変更することができる。
請求項７に記載の発明によれば、許可情報記憶装置に記憶した許可情報は、通信網を介して管理コンピュータにて変更することができる。
【手続補正１６】
【補正対象書類名】明細書
【補正対象項目名】００２１
【補正方法】変更
【補正の内容】
【００２１】
請求項８に記載の発明によれば、扉の受信機は、携帯端末が近づくと、その携帯端末に設けた非接触ＩＣチップに記録した許可情報を読み取る。制御回路は、その読み出した許可情報と、許可情報記憶装置に記憶した前記許可情報とを比較する。そして、例えば、制御回路は、その読み出した許可情報が扉の開閉を許可する情報のとき、電子錠を解錠する。  従って、扉を巡回し同扉を直接管理する担当者（巡回者）は、非接触ＩＣチップを設けた携帯端末を所持し、その携帯端末を扉に近づけるだけで電子錠を制御することができる。しかも、複数の扉の許可情報記憶装置に同じ携帯端末の許可情報を記憶しておけば、巡回者は、一つの携帯端末で、複数の扉を管理することができる。また、扉の許可情報記憶装置に複数の携帯端末の許可情報を記憶しておけば、その記録した数の携帯端末を使って扉を管理することができる。さらに、担当者の増加又は退職といった、担当者に変動があっても担当者に関係なく携帯端末を管理すればよいので、扉の管理が容易でとなる。
【手続補正１７】
【補正対象書類名】明細書
【補正対象項目名】００２２
【補正方法】変更
【補正の内容】
【００２２】
請求項９に記載の発明によれば、制御回路は、携帯端末の許可情報と許可情報記憶装置に記憶した許可情報との比較結果に基づいてその履歴を扉履歴情報として履歴情報記憶装置に記憶する。従って、例えば、履歴情報記憶装置の扉履歴情報を読み出せば、該扉の各携帯端末に対する交信記録を管理することができる。
請求項１０に記載の発明によれば、制御回路は、携帯端末の非接触ＩＣチップから読み出した許可情報との比較結果に基づいて送信装置を介して、その扉との間の履歴情報を端末履歴情報として非接触ＩＣチップに記録させる。従って、例えば、非接触ＩＣチップの端末履歴情報を読み出せば、該携帯端末の各扉に対する交信記録を管理することができる。
【手続補正１８】
【補正対象書類名】明細書
【補正対象項目名】００２３
【補正方法】変更
【補正の内容】
【００２３】
請求項１１に記載の発明によれば、管理コンピュータは、非接触ＩＣチップに記録した許可信号や、許可情報記憶装置に記憶した許可情報を、適宜変更することができることができる。従って、例えば、携帯端末が不正に使用されるおそれがある場合に、事前に許可情報記憶装置に記憶した許可情報を変更するだけで、扉は不正に解錠されることはない。また、新たに携帯端末を追加する場合にも、簡単に行える。
請求項１２に記載の発明によれば、管理コンピュータは、非接触ＩＣチップに記録した許可信号を、適宜変更することができることができる。
【手続補正１９】
【補正対象書類名】明細書
【補正対象項目名】００２４
【補正方法】変更
【補正の内容】
【００２４】
請求項１３に記載の発明によれば、管理コンピュータは、許可情報記憶装置に記憶した許可情報を、適宜変更することができることができる。
請求項１４に記載の発明によれば、管理コンピュータは、通信網を介して携帯端末の非接触ＩＣチップに記録した許可情報、扉の許可情報記憶装置に記憶した許可情報を変更す
る。従って、直接、携帯端末を手元において許可情報を変更したり、扉に直接出向いて許可情報を変更したりする作業がなくなる。しかも、短時間に変更することができる。
【手続補正２０】
【補正対象書類名】明細書
【補正対象項目名】００２５
【補正方法】変更
【補正の内容】
【００２５】
請求項１５に記載の発明によれば、管理コンピュータは、通信網を介して携帯端末の非接触ＩＣチップに記録した許可情報を変更することができる。
請求項１６に記載の発明によれば、管理コンピュータは、通信網を介して扉の許可情報記憶装置に記憶した許可情報を変更することができる。
請求項１７に記載の発明によれば、管理コンピュータは、通信網を介して携帯端末の非接触ＩＣチップに記録した端末履歴情報や、扉の許可情報記憶装置に記憶した販売機履歴情報を受信し、第１の情報記憶装置及び第２の情報記憶装置に記憶する。従って、直接、各携帯端末を手元において端末履歴情報を収集したり、扉に直接出向いて扉履歴情報を収集する作業がなくなる。しかも、短時間に変更することができる。
【手続補正２１】
【補正対象書類名】明細書
【補正対象項目名】００２６
【補正方法】変更
【補正の内容】
【００２６】
請求項１８に記載の発明によれば、管理コンピュータは、通信網を介して携帯端末の非接触ＩＣチップに記録した端末履歴情報を受信し、第１の情報記憶装置に記憶する。従って、直接、携帯端末を手元において端末履歴情報を収集する作業がなくなる。しかも、短時間に変更することができる。
【手続補正２２】
【補正対象書類名】明細書
【補正対象項目名】００２７
【補正方法】変更
【補正の内容】
【００２７】
請求項１９に記載の発明によれば、管理コンピュータは、通信網を介して扉の許可情報記憶装置に記憶した販売機履歴情報を受信し、第２の情報記憶装置に記憶する。従って、直接、扉に直接出向いて扉履歴情報を収集する作業がなくなる。しかも、短時間に変更することができる。
【手続補正２３】
【補正対象書類名】明細書
【補正対象項目名】００２８
【補正方法】変更
【補正の内容】
【００２８】
請求項２０に記載の発明によれば、自動販売機の受信機は、非接触ＩＣチップが近づくと、非接触ＩＣチップに記録した許可情報を読み取る。自動販売機の制御回路は、その読み出した許可情報と、自動販売機に設けた許可情報記憶装置に記憶した前記許可情報とを比較する。そして、制御回路は、その読み出した許可情報が自動販売機の開閉を許可する情報のとき、電子錠を駆動する。
従って、自動販売機を巡回し同自動販売機を直接管理する担当者（巡回者）は、非接触ＩＣチップを所持し、非接触ＩＣチップを自動販売機に近づけるだけで電子錠を例えば解
錠することができる。
【手続補正２４】
【補正対象書類名】明細書
【補正対象項目名】００２９
【補正方法】変更
【補正の内容】
【００２９】
請求項２１に記載の発明によれば、自動販売機の受信機は、携帯端末が近づくと、その携帯端末に設けた非接触ＩＣチップに記録した許可情報を読み取る。自動販売機の制御回路は、その読み出した許可情報と、自動販売機に設けた許可情報記憶装置に記憶した前記許可情報とを比較する。そして、制御回路は、その読み出した許可情報が自動販売機の開閉を許可する情報のとき、電子錠を駆動する。従って、自動販売機を巡回し同自動販売機を直接管理する担当者（巡回者）は、非接触ＩＣチップを設けた携帯端末を所持し、その携帯端末を自動販売機に近づけるだけで電子錠を例えば解錠することができる。しかも、複数の自動販売機の許可情報記憶装置に同じ携帯端末の許可情報を記憶でき、巡回者は、一つの携帯端末で、複数の自動販売機を管理することができる。また、自動販売機の許可情報記憶装置に複数の携帯端末の許可情報を記憶しておけば、その記録した数の携帯端末を使って自動販売機を管理することができる。さらに、担当者の増加又は退職といった、担当者に変動があっても担当者に関係なく携帯端末を管理すればよいので、自動販売機の管理が容易でとなる。